(57)【要約】【課題】構造が簡単で、講演者に原稿を容易に読ませることが可能である講演用掲示装置を提供する。【解決手段】投影装置１、ミラーセット２、表示プレート３及び箱体４を備える。投影装置１は光線を表示プレート３に投影させることで表示プレート３の上に結像可能であり、表示プレート３は投影画像を受けることが可能な数個の細長い物体から構成され、これらの細長い物体は互いに連動し、かつ隙間を有する。表示プレートは映像を表示可能な数個の細長いＬＣＤから構成される。装置を観客の方向から見る場合、視線は細長い物体の狭い側（厚さ方向）と狭い側の間の隙間を通るため、表示プレート３が見えず、表示プレート３が透明に近いように見える。また講演者の方向から見る場合、細長い物体の広い面が見え、この方向から見る細長い物体の広い面は全体プレートを構成するため、原稿を容易に読むことが可能である。【選択図】図１
0003119195.tif 000002
【実用新案登録請求の範囲】
【請求項１】
結像を表示可能な表示プレートを備える講演用掲示装置であって、表示プレートは映像を表示可能な数個の細長いＬＣＤから構成され、ＬＣＤの間は互いに連動し、かつ隙間を有することを特徴とする講演用掲示装置。
【請求項２】
ＬＣＤ表示プレートは、フレームにより固定されることを特徴とする請求項１に記載の講演用掲示装置。
【請求項３】
コンピューターシステム及び分離器を含み、分離器は細長いＬＣＤに接続することで全体画像を分解してＬＣＤ上に組み合わせて全体画像を形成することを特徴とする請求項２に記載の講演用掲示装置。
【考案の詳細な説明】
【技術分野】
【０００１】
本考案は、講演用掲示装置に関し、特に構造が簡単で、観客が講演者を見ることに影響することなく講演者に原稿を容易に読ませることが可能である講演用掲示装置に関する。
【背景技術】
【０００２】
現在、公共集会場で講演を行う場合、即興で講演する少数の講演者を除き、多くの講演者は手で原稿を持つか原稿を台にとめて講演を進める。
【考案の開示】
【考案が解決しようとする課題】
【０００３】
講演者が原稿を用いて講演する場合、講演者はページにびっしり書き込まれた文章を同時に視覚範囲にいれるため、瞬間に続きの文章を判読することが難しくなり、読み間違えたり読み漏らしたりすることがある。また必要に応じて字体の大きさを調整することができないため、講演者は常に文章を一つ読み漏らして講演内容全体に影響することを心配することになる。したがって、つい原稿を見詰めたまま読み進んでしまい知らず知らずに朗読形式となってしまいその結果講演全体の雰囲気が変わってしまうことがある。
【０００４】
講演者が室内の会場、教室または室外の工事現場、空港、広場などの場所で講演を行う場合、原稿は扇風機や機械風または自然風に飛ばされたり、雨に濡れて破れたりすることがあるため、講演の内容は予定通りにうまく続けられなくなる可能性がある。
【０００５】
また、講演者は講演の内容を生き生き表現し、単に文章を音読する朗読者やスピーカーと思われないようにするため、話しながら観客達または生徒達と目を合わせるか、会場の雰囲気または教室の秩序を観察しながら、視線、手勢または姿態などの表現を加えてページにびっしり書き込まれた原稿に視線を移す。この時、続きの文章を探すのに時間がかかりすぎると講演が中断され、雰囲気がさめてしまう。それに講演者が狼狽した結果講演の評価が大いに割引されて講演の失敗を招く可能性がある。
【０００６】
講演者が講演用原稿のため講演中きまりの悪い思いをするという問題を解決する必要がある。
【０００７】
また講演者は講演用机の横に立ちながら講演を行うことがもっとも一般的である。このため、講演者の視線の邪魔または観客の注意力の邪魔にならないように講演用掲示装置を小型・軽量化する必要がある。
【０００８】
したがって本考案の目的は、構造が簡単で、講演者に原稿を容易に読ませることが可能である講演用掲示装置を提供することにある。
【課題を解決するための手段】
【０００９】
上述の目的を達成するために本考案の請求項に記載の講演用掲示装置は、投影装置と表示プレートを備える。投影装置は光線を表示プレートに投影させることで表示プレートの上に結像可能であり、表示プレートは投影画像が受けることが可能な数個の細長い物体から構成され、これらの細長い物体は互いに連動し、かつ隙間を有する。
【００１０】
講演用掲示装置は、結像を表示可能な表示プレートを備える。そのうち表示プレートは映像を表示可能な数個の細長いＬＣＤから構成され、これらのＬＣＤは互い連動し、かつ隙間を有する。
【００１１】
本考案による講演用掲示装置は、構造が簡単なものであり投影装置を介して講演の内容を表示プレートに投影させるか直接細長いＬＣＤの表示プレートから講演の内容を表示するものである。かつ上記表示プレートは投影画像が受けられる数個の細長い物体から構成され、これらの細長い物体は互いに連動し、かつ隙間がある。このため、講演用掲示装置を観客の方向から見る場合、視線は細長い物体の狭い側（厚さ方向）と狭い側の間の隙間を通るため、表示プレートが見えることなく、細長い物体の狭い側しか見えない。観客にとっては、表示プレートが透明に近いように見える。また講演者の方向から見る場合、細長い物体の広い面が見える。かつこの方向から見る細長い物体の広い面は全体プレートを構成するため、講演者は原稿を容易に読むことが可能である。また、各表示プレートは観客が講演者を見ることに影響しないように講演者の前方に位置するため、頭を下げて原稿を探すことなく、講演者と観客に顔を合わせながら相互討論させ、講演を予定通り進めることが可能である。これにより講演者と観客の交流を促し、講演を生き生きとさせることが可能となる。また投影の内容は別に制御されるため、講演者の必要に応じる講演の内容を提供することが可能である。
【００１２】
上述の内容をまとめてみると、本考案による講演用掲示装置は構造が簡単で、講演者に原稿を容易に読ませ、講演をスムーズに進行させることが可能である。
【考案を実施するための最良の形態】
【００１３】
以下、本考案の実施例を図面に基づいて説明する。
図１に示すように、本考案の第一実施例による講演用掲示装置１００は、投影装置１、ミラーセット２、表示プレート３及び箱体４を備える。そのうち投影装置１とミラーセット２を箱体４の内部または講演用スタンドの中に装着することが可能である。かつこの三者は講演用スタンドの下に位置付けられる。表示プレート３は講演用スタンドの上に装着され、投影装置１は光線を透過させ、ミラーセット２により表示プレート３に屈折させることで表示プレート３に結像することが可能である。また単一設備として講演用掲示装置１００を独立させることが可能である。
【００１４】
投影装置１は、プロジェクター、電子設備により駆動されるＣＲＴ表示プレートまたはＬＣＤディスプレー、スライドフィルム、実物または手書き原稿などのいずれでも可能であるため、講演者に求められる内容を表示プレート３に投影させることが可能である。例えば、投影装置１がプロジェクター（Projector）である場合、コンピューターに講演の内容をあらかじめ保存し、プロジェクターとコンピューターとを接続させるかそれらを一体に組み合わせ、その後、プロジェクターを介して講演の内容を表示プレート３に投影させる。
【００１５】
投影装置１が箱体４の内部に水平に装着されている場合、ミラーセット２と投影装置１のレンズ１０との間の角度は一定している。投影装置１から放射された光線はミラーセット２を介して表示プレート３の後側背面または前面に屈折して結像する。この時、表示プレート３は図１に示すような実像の位置に据えられる。このような投影装置１を縦方向に装着する方法は、ミラーセット２に頼ることなく直接投影装置１から表示プレート３に投影することが可能である。
【００１６】
また投影装置１が箱体４の内部に縦方向に装着されている場合、投影装置１から放射された光線はミラーセット２を介するか、直接表示プレート３の前側または背面に屈折することで結像する。この時、表示プレート３は図１に示すような破線の位置に据えられる。このような投影装置１を装着する方法は、ミラーセット２に頼ることなく直接投影装置１から表示プレート３に投影して結像することが可能である。
【００１７】
投影装置１が光線を表示プレート３の後側背面に投影させて結像させる場合、表示プレートは背面光を透過可能なパターンの材料を採用するため、講演者にパターンの内容を読ませることが可能である。上述の二種の表示プレートに投影して結像する方法とも講演者に明晰な映像を見せることが可能である。また、投影装置１が表示プレート３の前面側板に投射する場合、投影装置１上の講演の内容を上向きに置き、表示プレート３の背面側板に投射する場合、投影装置１の上の講演の内容を下向きに置くことで、表示プレート前面の板面の前に位置する講演者に正面に向かっている映像を見せることが可能である。
【００１８】
ミラーセット２は数個の反射鏡から組成され、透光鏡、平面鏡または曲面鏡を含む。またミラーセット２は投影装置１から投射された光線の方向を変更し、投影装置１のレンズとプレートの間の空間と距離を増大させることで比較的大きい投影画像を得ることが可能である。また比較的小さい空間と距離の下で比較的大きい投影画像を得るため、透光鏡の組み合わせまたは曲面鏡などの光学システムを採用することが可能である。したがって、表示プレート３に投影した画像はサイズが十分大きくて明晰であるため、講演者に画像を容易に識別させることが可能である。
【００１９】
図２に示すように、表示プレート３は講演用スタンドの上に装着され、数個の細長い物体３０から構成される。細長い物体３０は細長いミラー、スラットまたは細長いＬＣＤから組成される。細長い物体３０はブライドのような形を構成し、かつその相対的な角度を固定するか調整することが可能である。また細長い物体３０は、幅が一定したスラットのような形を呈し、かつ側面が比較的薄い。また細長い物体３０は互いに連動し、かつ隙間を有する。同時に細長いミラー、スラットまたは細長いＬＣＤの観客に向かっている一面が薄型であるため、観客の方面から見ると透明に近いように見える。また、隙間は光線を透過させることが可能であるため、観客に講演者を見せることが可能となる。講演者の方向から見る場合、見る角度のため、講演者が見たのは細長い物体の平面部分であり、数個の細長い物体は一つの平面に組成されるように見え、かつプロジェクターから投射された画像を受けることが可能である。プロジェクターはすべての細長い物体に投射するのに対し、すべての細長い物体はそれぞれ一部分の画像を受けるが、組み合わせると全体画像を形成することが可能である。
【００２０】
細長い物体３０は、金属または非金属材料から構成され、その形が平面、弧面、曲面または混合面のいずれでも可能であり、投影を受ける一面が反射性、遮光性、コーティング膜、メッキ、すりガラスまたは半透明などのいずれでも可能である。例えばスクリーン、背面投影テレビジョンのスクリーンなどがある。
【００２１】
細長い物体３０を連接させるか支持するには、下記のような方法で実施する。
第一の方法は、細長い物体３０の平行の長い両側辺縁に固定孔（図中未表示）を設け、かつ長い端部にフレーム３４を設け、フレーム３４の固定孔に対応する箇所に貫通孔（図中未表示）を設け、続いて固定ユニット３２により貫通孔、固定孔を貫通することで細長い物体３０を支持、固定するということである。フレーム３４を調節することで細長い物体３０の斜度を制御、調節することが可能である。
【００２２】
第二の方法は、細長い物体３０をブライドのような形に成型するということである。このような成型原理は簡単なのであるため、型を使用するかこれらを組み合わせれば完成する。
【００２３】
第三の方法は、細長い物体３０の間に接着剤でベニヤ板を接着するかボルトで固定する方法、またはこれらと外の固体とを連接させる方法などの固定方法を採用するということである。
【００２４】
第四の方法は、各細長い物体３０の間に辺縁を固定するということである。
【００２５】
上述の貫通孔３２とボルト３７の間にスプリングを装着することで細長い物体３０と講演者との相対的な傾斜度を調節する、即ち観客の視線の邪魔を減少させることが可能である。調整機構は手動式また電子回路の制御による機械式の調節装置である。
【００２６】
このような表示プレート３の構成方法は角度によって視覚が異なるという原理に基づいて、表示プレートを中断か分離させたり連続したりすることを実現させるということである。
【００２７】
図３Ａに示すように、観客がＦ１方向から講演用スタンドを見る場合、細長い物体３０は薄型のスラットであるため、観客が見たのは細長い物体３０の薄い側辺である。この薄い側辺は観客の視線に影響することなく透明に近いため、スラットを見ることはできないが、講演者がよく見える。
【００２８】
図３Ｂに示すように、講演者がＦ２方向から表示プレート３を見る場合、Ｆ２方向は細長い物体３０の広い面に向かい合うため、それぞれのスラットが分離した部分的なパターンを表示したとしても講演者の方向から見た細長い物体３０は全体スクリーンを形成する。講演者に向かっている一面は映像の全体を表示可能である。したがって、講演者に投影装置１から投射された映像をきれいに見せることが可能となる。
【００２９】
表示プレートは講演者の前方に位置するため、頭を下げて原稿を探して内容が間違っているのかを確認することを必要とせず、講演者と観客に顔を合わせながら相互討論させることが可能である。これにより講演者と観客の交流を促し、講演を活性化させることが可能となる。
【００３０】
図４は表示プレートの構成を示す模式図である。表示プレート３のそれぞれの細長い物体３０の間には一定の角度を呈する透光フィルム３６が連接する。このような構造は紙扇子の構造に近い。このような構造の表示プレート３の細長い物体３０の構造は前述と同じである。それに連接する透光フィルム３６に透光膜をコーティングするかフレームの形を形成することが可能である。講演者に向かっている一面がワイディング、布類またはプラスチックなどのいずれか一つであるため、投影画像を受けることが可能である。したがって、観客がＦ１方向から見る場合、視線は透光フィルム３６を通るが、スクリーンの全体は見えない。講演者がＦ２方向から見る場合、図３に示すような一面の画像が見える。
【００３１】
上述の表示プレート３が稼動状態になっている場合、その構造は展開状態、即ち平行四辺形を呈する。非稼動状態になっている場合、閉めることが可能である。このような閉める状態は紙扇子を閉めた時の構造と同じであり、また閉め可能な表示プレート３は箱体４に収納されるため、携帯に便利である。このような構造が固定式のものであれば、全体性が良好である。
【００３２】
このような表示プレートの構造では、細長い物体３０の側面は薄い辺であるが、一定の厚さはある。細長い物体３０の側面に加工するかパターンを制作するかＬＯＧＯをつけるようにすれば、観客の視線を転移させ、広告効果を得ることが可能である。
【００３３】
箱体４は投影装置１及びミラーセット２を装着可能な腔体を有する殻体である。箱体４の上の表面に光線を透過させるための孔４０を有することで、投影装置１から放射された光線はミラーセット２を介して屈折し、孔４０を透過して表示プレート３に結像することが可能である。また箱体の上に表示プレートを固定することが可能である。
【００３４】
組み立てる場合、箱体４の中に投影装置１を装着し、箱体４上の表面の孔に対応しミラーセット２を装着すれば光線がミラーセット２と孔４０を透過することが可能である。最後に、投影装置１から放射された光線が完全に受けられる位置に表示プレート３を装着する。また、一つの設備として投影装置１、ミラーセット２、表示プレート３を一体に整合することが可能である。これにより、手間がかからず講演用掲示装置１００を装着することが可能となる。
【００３５】
稼動の際には、図１に示すように、投影装置１を起動し、ミラーセットにより講演の内容を表示プレート３に投影させる。投影装置１が映像を表示プレート３の実像を示す位置に投影させる場合、映像は真っ正面に表示プレート３の前面板に投影する。投影装置１が映像を表示プレート３の虚像を示す位置に投影させる場合、映像は逆に表示プレート３の後面板に投影する。講演者は表示プレート３の前面板の前方に立っているため、表示プレート３の前面板における正面の映像を見ることが可能である。
【００３６】
映像が鮮明でない場合、映像が鮮明に見えるようになるまで投影装置１またはミラーセット２の焦点を調整すればよい。かつ講演者のいつもの視線方向と観客の視線方向によって表示プレート３の細長い物体３０の傾斜度を調整することで表示プレート３から観客の視線を分散させ、講演者の視線を連続的なスクリーンに留まらせることが可能である。
【００３７】
上述により、講演用掲示装置１００は講演者の視線の前方に位置するため、講演者は報告する時、リラックスして講演の内容が読めるようになるだけでなく、観客との交流を促し、講演を生き生きとさせることが可能となる。
【００３８】
上述の講演用掲示装置１００の表示プレート３の高さは固定されていないため、講演者の高さによって調整することが可能である。また調整しても表示プレート３に投影した映像がきれいでない場合、映像がきれいに見えるようになるまで投影装置１またはミラーセット２の焦点を調整すればよい。
【００３９】
上述の講演用掲示装置１００は本考案の一つの実施例に過ぎない。本考案の講演用掲示装置１００のほかの実施例は次の通りである。
第二実施例による講演用掲示装置１００は、図５に示すように、投影装置１、ミラーセット２及び表示プレート３を備える。投影装置１、ミラーセット２及び表示プレート３は第一実施例に述べらた投影装置、ミラーセット及び表示プレートと同じである。
【００４０】
本実施例では、投影装置１を任意の位置に装着し、ミラーセット２にレンズを向け、天井またはほかの所にミラーセット２を装着することで、表示プレート３に投影した光線を放射する。講演者が見る所に表示プレート３を装着する。
【００４１】
また本実施例では、表示プレート３の前、後方に投影装置１を装着し、投影装置１の投影が受けられる所にミラーセット２を装着すれば光線を表示プレート３に投影させることが可能である。投影装置１がミラーセット２を介して光線を表示プレート３前側面板に投影させる場合、講演の内容は正面に据えられる。ミラーセット２を介して光線を表示プレート３後側面板に投影させる場合、講演の内容は反対の面に据えられる。表示プレート３の前後から正面に向かっている講演の内容が読める。このため、表示プレートは背面光を透過可能なパターンの材料を採用する必要がある。
【００４２】
第三実施例による講演用掲示装置１００は、図６に示すように、投影装置１'、パターン幕２'及び表示プレート３を備える。
本実施例では、パターン幕２'は字幕、スクリーンテレビまたはそのほかのディスプレー及び実物などのいずれか一つである。表示プレート３は細長い鏡から組成され、パターン幕２'に表示された内容は表示プレート３から反射されるため、講演者に表示プレート３から反射されたパターン幕２'の内容を読ませることが可能である。講演者に表示プレート３からパターン幕２'の内容を読ませさえすれば、パターン幕２'を表示プレート３に関連する任意の位置に装着することが可能である。
【００４３】
第四実施例による講演用掲示装置１００は、図７に示すように、投影装置１と表示プレート３を備える。本実施例は前述の実施例に比べてミラーセット２が少なく、投影装置１が直接映像を表示プレート３に投影させる。
【００４４】
本実施例では、表示プレートの前方上、例えば天井または壁またはスタンドの上に投影装置１を装着すれば、直接パターン光線を表示プレート３に投影させることが可能である。表示プレート３は図１に示すように、講演者に対し多様な角度を呈するため、講演者に上または下から見せることが可能である。
【００４５】
まとめると、本考案の実施例による講演用掲示装置１００は投影装置１を介して講演の内容を表示プレート３に投影させてきれいに結像させる。また光線が表示プレート３に投影できさえすれば、投影装置１と表示プレート３の間の光の経路にミラーセット２を配置し、かつこれらの三者を任意の位置に設定することが可能である。このような講演用掲示装置１００により、講演者はリラックスして講演の内容が読めるようになるため、スクリーンを見詰めたり、原稿の内容を一生懸命に暗記したりすることが原因で講演が生き生きしないことは発生しない。
【００４６】
第五実施例による講演用掲示装置１００の表示プレート３は、図８Ａ、図８Ｂ、図８Ｃ、図８Ｄに示すように、数個の細長いＬＣＤから組成される。つまり表示プレート３は数個の比較的短いＬＣＤを連接させることで形成される。表示プレート３の細長いＬＣＤはフレームにより固定される。それぞれのＬＣＤは部分の内容を表示する。数個のＬＣＤは一つのスクリーンを構成可能である。表示プレート３とコンピューターシステム１'は分配器５により接続し、分配器５は一つの画像をすべてのＬＣＤに分配し、そののち、すべてのＬＣＤから一つの画像を形成して表示する。したがって、このような講演用掲示装置の構造はよりいっそう簡単なのである。
【図面の簡単な説明】
【００４７】
【図１】本考案の第一実施例による講演用掲示装置を示す模式図である。
【図２】第一実施例の講演用掲示装置の表示プレートの立体図である。
【図３Ａ】Ｆ１方向から見た第一実施例の講演用掲示装置の表示プレートの平面図である。
【図３Ｂ】Ｆ２方向から見た第一実施例の講演用掲示装置の表示プレートの平面図である。
【図４】本考案の第一実施例による講演用掲示装置の表示プレートのもう一つの構造を示す立体図である。
【図５】本考案の第二実施例による講演用掲示装置を示す模式図である。
【図６】本考案の第三実施例による講演用掲示装置を示す模式図である。
【図７】本考案の第四実施例による講演用掲示装置を示す模式図である。
【図８Ａ】本考案の第五実施例による講演用掲示装置を示す第一模式図である。
【図８Ｂ】本考案の第五実施例による講演用掲示装置を示す第二模式図である。
【図８Ｃ】本考案の第五実施例による講演用掲示装置を示す第三模式図である。
【図８Ｄ】本考案の第五実施例による講演用掲示装置を示す第四模式図である。
【符号の説明】
【００４８】
１  投影装置、２  ミラー、３  表示プレート、４  箱体、５  分配器、１０  レンズ、３０  細長いプレート、３２  固定ユニット、３４  フレーム、３６  透光フィルム、３７  ボルト、４０  孔、１００  講演用掲示装置
【図１】
0003119195.tif 000003
【図２】
0003119195.tif 000004
【図３Ａ】
0003119195.tif 000005
【図３Ｂ】
0003119195.tif 000006
【図４】
0003119195.tif 000007
【図５】
0003119195.tif 000008
【図６】
0003119195.tif 000009
【図７】
0003119195.tif 000010
【図８Ａ】
0003119195.tif 000011
【図８Ｂ】
0003119195.tif 000012
【図８Ｃ】
0003119195.tif 000013
【図８Ｄ】
0003119195.tif 000014